Podtech/llm-jp-corpus-v4-ja_patent huggingface dataset:
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
酸化ナトリウムと、酸化ホウ素と、酸化ケイ素に換算して、それぞれの含有率が４重量％以上６．５重量％以下、２６重量％以上３６重量％以下、６０重量％以上６８重量％以下であって、かつ、前記酸化ナトリウム、前記酸化ホウ素および前記酸化ケイ素の合計の含有率が９９重量％以上１００重量％以下である混合物を加熱し、溶融させ、冷却して母体ガラスを得る工程と、
前記母体ガラスを、水と接触させて多孔質ガラスを得る工程と、
を有することを特徴とする多孔質ガラスの製造方法。
【請求項２】
前記多孔質ガラスを得る工程において、前記母体ガラスを酸処理しないことを特徴とする請求項１に記載の多孔質ガラスの製造方法。
【請求項３】
前記加熱は、１３５０℃以上１４５０℃以下の温度範囲で行われることを特徴とする請求項１又は２に記載の多孔質ガラスの製造方法。
【請求項４】
前記母体ガラスは、スピノーダル型の相分離によって形成されることを特徴とする請求項１乃至３のいずれか１項に記載の多孔質ガラスの製造方法。
【請求項５】
前記水の温度が、５０℃以上１００℃以下の温度範囲であることを特徴とする請求項２乃至４のいずれか１項に記載の多孔質ガラスの製造方法。
【請求項６】
前記混合物中の前記酸化ナトリウムの含有率が、４．５重量％以上６重量％以下であることを特徴とする請求項１乃至５のいずれか１項に記載の多孔質ガラスの製造方法。
【請求項７】
前記混合物中の前記酸化ホウ素の含有率が、２６．５重量％以上３５．５重量％以下であることを特徴とする請求項１乃至６のいずれか１項に記載の多孔質ガラスの製造方法。
【請求項８】
前記混合物中の前記酸化ケイ素の含有率が６０．５重量％以上６７．５重量％以下であることを特徴とする請求項１乃至７のいずれか１項に記載の多孔質ガラスの製造方法。
【請求項９】
酸化ナトリウムの含有率が４重量％以上６．５重量％以下、酸化ホウ素の含有率が２６重量％以上３６重量％以下、酸化ケイ素の含有率が６０重量％以上６８重量％以下であり、かつ、前記酸化ナトリウム、前記酸化ホウ素および前記酸化ケイ素の合計の含有率が９９重量％以上１００重量％以下であることを特徴とする母体ガラス。
【請求項１０】
請求項９に記載の母体ガラスを基に多孔質ガラスを得る工程を有することを特徴とする多孔質ガラスの製造方法。
【手続補正２】
【補正対象書類名】明細書
【補正対象項目名】発明の名称
【補正方法】変更
【補正の内容】
【発明の名称】多孔質ガラスの製造方法及び母体ガラス
【手続補正書】
【提出日】平成24年11月26日(2012.11.26)
【手続補正１】
【補正対象書類名】明細書
【補正対象項目名】０００８
【補正方法】変更
【補正の内容】
【０００８】
本発明の空調機制御装置は、室内を利用する利用者の快適度に関する情報を検出する快適度情報検出部と、快適度情報検出部により検出される情報に基づいて、不快な利用者を判断する不快判断部と、不快判断部により判断された不快な利用者に対して快適度を向上させるように空調機を制御する制御部とを有し、快適度情報検出部は、室内に設けられ、利用者の画像を取得するカメラであり、不快判断部は、カメラにより取得された画像の変化に基づいて不快な利用者を判断する。
【手続補正２】
【補正対象書類名】明細書
【補正対象項目名】０００９
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
室内を利用する利用者の快適度に関する情報を検出する快適度情報検出部と、
快適度情報検出部により検出される情報に基づいて、不快な利用者を判断する不快判断部と、
不快判断部により判断された不快な利用者に対して快適度を向上させるように空調機を制御する制御部と、
を有し、
快適度情報検出部は、室内に設けられ、利用者の画像を取得するカメラであり、
不快判断部は、カメラにより取得された画像の変化に基づいて不快な利用者を判断する、
ことを特徴とする空調機制御装置。
【請求項２】
請求項１に記載の空調機制御装置において、
前記カメラは、利用者の赤外線画像を取得する赤外線カメラであり、
不快判断部は、赤外線カメラにより取得された赤外線画像の変化に基づいて不快な利用者を判断する、
ことを特徴とする空調機制御装置。
【請求項３】
請求項２に記載の空調機制御装置において、
冷房運転時に、不快判断部は、赤外線画像内における体温領域が増加した場合、その利用者が不快であると判断し、制御部は、冷房能力を大きくさせるよう空調機を制御する、
ことを特徴とする空調機制御装置。
【請求項４】
請求項２または３に記載の空調機制御装置において、
冷房運転時に、不快判断部は、赤外線画像内における体温領域が減少した場合、その利用者が不快であると判断し、制御部は、冷房能力を小さくさせるよう空調機を制御する、
ことを特徴とする空調制御装置。
【請求項５】
請求項２から４のいずれか１つに記載の空調機制御装置において、
暖房運転時に、不快判断部は、赤外線画像内における体温領域が増加した場合、その利用者が不快であると判断し、制御部は、暖房能力を小さくさせるよう空調機を制御する、
ことを特徴とする空調機制御装置。
【請求項６】
請求項２から５のいずれか１つに記載の空調機制御装置において、
暖房運転時に、不快判断部は、赤外線画像内における体温領域が減少した場合、その利用者が不快であると判断し、制御部は、暖房能力を大きくさせるよう空調機を制御する、
ことを特徴とする空調機制御装置。
【請求項７】
請求項１に記載の空調制御装置において、
利用者とその利用者の位置とを特定する利用者特定部を有し、
制御部は、不快判断部により判断された利用者であって、利用者特定部により特定される利用者の位置に対応する空調機を制御する、
ことを特徴とする空調機制御装置。
【請求項８】
請求項７に記載の空調機制御装置において、
不快判断部により判断された不快な利用者の情報と、利用者特定部により特定された利用者の情報とを記憶する記憶部を有し、
制御部は、記憶部の情報に基づいて空調機を制御する、
ことを特徴とする空調機制御装置。
【請求項９】
請求項７または８に記載の空調機制御装置において、
快適度情報検出部は、室内に設けられ、利用者が室内の温度を設定可能なリモコンであり、
不快判断部は、リモコン操作に基づいて不快な利用者を判断し、
制御部は、不快判断部により判断された利用者であって、利用者特定部により特定される利用者の位置に対応する空調機を制御する、
ことを特徴とする空調機制御装置。
【請求項１０】
請求項９に記載の空調機制御装置において、
冷房運転時に、不快判断部は、リモコン操作が設定温度の低下である場合、その操作を行なった利用者が不快であると判断し、制御部は、冷房能力を大きくさせるよう空調機を制御する、
ことを特徴とする空調機制御装置。
【請求項１１】
請求項９または１０に記載の空調機制御装置において、
冷房運転時に、不快判断部は、リモコン操作が設定温度の上昇である場合、その操作を行なった利用者が不快であると判断し、制御部は、冷房能力を小さくさせるよう空調機を制御する、
ことを特徴とする空調機制御装置。
【請求項１２】
請求項９から１１のいずれか１つに記載の空調機制御装置において、
暖房運転時に、不快判断部は、リモコン操作が設定温度の低下である場合、その操作を行なった利用者が不快であると判断し、制御部は、暖房能力を大きくさせるよう空調機を制御する、
ことを特徴とする空調機制御装置。
【請求項１３】
請求項９から１２のいずれか１つに記載の空調機制御装置において、
暖房運転時に、不快判断部は、リモコン操作が設定温度の上昇である場合、その操作を行なった利用者が不快であると判断し、制御部は、暖房能力を小さくさせるよう空調機を制御する、
ことを特徴とする空調機制御装置。
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
エレベータのかごのエプロンに取付けられる磁気センサと乗場のトーガードに取付けられるとともに着床している上記かごの床と上記乗場の床との間に段差がないとき上記磁気センサと対向する検出板とを備え、
上記磁気センサは、所定の検知領域を有する磁気センサスイッチ、上記かごの床側から上方向に点灯するライト、及び、上記磁気センサスイッチの接点信号を取込んで上記ライトを点灯／消灯する処理基板を有し、
上記検出板は、磁束を優先的に通す磁性板を有し、
上記処理基板は、上記磁性板が上記検知領域に入り込むときに上記ライトを消灯し、逆に上記検知領域から上記磁性板が外れるときに上記ライトを点灯することを特徴とするエレベータ段差報知装置。
【請求項２】
上記磁気センサは、上記かごの加速度を検出する加速度センサを有し、
上記処理基板は、上記加速度センサにより上記かごが着床しているとともに上記磁性板が上記検知領域から外れているときだけ上記ライトを点灯することを特徴とする請求項１に記載のエレベータ段差報知装置。
【手続補正書】
【提出日】平成25年5月17日(2013.5.17)
【手続補正１】
【補正対象書類名】明細書
【補正対象項目名】０００９
【補正方法】変更
【補正の内容】
【０００９】
上記目的を達成するために、本発明は、シート束を中折りする中折り手段と、中折りされたシート束を搬送する束搬送手段と、前記シート束の折り部を押圧するプレス手段と、前記プレス手段をシート束搬送方向に直交する方向に移動させるプレス制御手段とを備えるシート処理装置において、前記シート処理装置内での紙詰まりの発生に応じて前記シート処理装置の動作を中断する処理停止手段と、前記プレス手段が前記シート束搬送経路を遮る位置にあるか否かを判定する第１の判定手段と、を備え、前記処理停止手段により前記シート処理装置の動作が中断されたときに、前記第１の判定手段によって前記プレス手段がシート束搬送経路を遮る位置にあると判定された場合、前記プレス制御手段は、前記シート束搬送経路を遮らない位置に前記プレス手段を移動させることを特徴とする。
【手続補正２】
【補正対象書類名】特許請求の範囲
【補正対象項目名】全文
【補正方法】変更
【補正の内容】
【特許請求の範囲】
【請求項１】
シート束を中折りする中折り手段と、中折りされたシート束を搬送する束搬送手段と、前記シート束の折り部を押圧するプレス手段と、前記プレス手段をシート束搬送方向に直交する方向に移動させるプレス制御手段とを備えるシート処理装置において、
前記シート処理装置内での紙詰まりの発生に応じて前記シート処理装置の動作を中断する処理停止手段と、
前記プレス手段が前記シート束搬送経路を遮る位置にあるか否かを判定する第１の判定手段と、を備え、
前記処理停止手段により前記シート処理装置の動作が中断されたときに、前記第１の判定手段によって前記プレス手段がシート束搬送経路を遮る位置にあると判定された場合、前記プレス制御手段は、前記シート束搬送経路を遮らない位置に前記プレス手段を移動させることを特徴とするシート処理装置。
【請求項２】
前記中折り手段の位置から前記シート束搬送方向の下流側で紙詰まりが発生したかを判定する紙詰まり判定手段と、
前記束搬送手段内のシート束を検知するシート束検知手段と、を更に備え、
前記紙詰まり判定手段によって前記中折り手段の位置から前記シート束搬送方向の下流側で紙詰まりが発生したと判定され、且つ前記シート束検知手段によってシート束が検知された場合、前記第１の判定手段は、前記プレス手段が前記シート束搬送経路を遮る位置にあると判定することを特徴とする請求項１記載のシート処理装置。
【請求項３】
前記プレス手段が前記シート束の押圧が終了した後に移動するプレス終了位置における前記プレス手段の有無を検知するプレス検知手段を更に備え、
前記紙詰まり判定手段によって前記中折り手段の位置から前記シート束搬送方向の下流側で紙詰まりが発生したと判定され、且つ前記シート束検知手段によってシート束が検知された場合、前記プレス検知手段により前記プレス手段が検知されなかった場合、前記プレス制御手段は、前記プレス手段を前記シート束搬送経路外に位置するホームポジションに移動させることを特徴とする請求項２記載のシート処理装置。
【請求項４】
前記プレス手段が前記シート束の押圧が終了した後に移動するプレス終了位置における前記プレス手段の有無を検知するプレス手段検知手段と、
前記プレス手段が前記プレス終了位置と前記シート束搬送経路外に位置するホームポジションのどちらの位置に近いかを判定する第２の判定手段とを更に備え、
前記紙詰まり判定手段によって前記中折り手段の位置から前記シート束搬送方向の下流側で紙詰まりが発生したと判定され、且つ前記シート束検知手段によってシート束が検知された場合、前記第２の判定手段は、前記ホームポジションから前記プレス終了位置までの距離、前記プレス手段の移動量、及び前記ホームポジションからの前記プレス手段の移動パルス数から前記プレス手段が前記プレス終了位置の近くに位置しているか否かを判定することを特徴とする請求項２記載のシート処理装置。
【請求項５】
前記プレス制御手段は、前記第２の判定手段により前記プレス手段が前記プレス終了位置の近くに位置していると判定された場合、前記プレス手段を前記プレス終了位置に移動させ、前記第２の判定手段により前記プレス手段が前記プレス終了位置の近くに位置していないと判定された場合、前記プレス手段を前記ホームポジションに移動させることを特徴とする請求項４記載のシート処理装置。
【請求項６】
前記プレス手段が前記シート束搬送経路上にあるか否かを判定する第３の判定手段を更に備え、
前記第３の判定手段は、前記シート束の幅、前記プレス手段の幅、前記プレス手段の移動量、前記プレス手段が待機する待機位置からの前記プレス手段の移動パルス数から判定することを特徴とする請求項２記載のシート処理装置。
【請求項７】
請求項１乃至４のいずれか１項に記載のシート処理装置と、前記シート処理装置に通信可能に接続し、画像形成を行ったシートを前記シート処理装置に排出する画像形成装置とを備えることを特徴とする画像形成システム。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
シートの搬送方向に直交する方向である幅方向のシートの端部検知を行う検知手段と、
前記幅方向に移動することによりシートを該幅方向に移動させる移動手段と、
シートが排出される排出トレイと、
前記検知手段によりシートの端部検知を行った結果に基づいて前記移動手段を移動させるとともに、前記排出トレイ上で複数のシートが前記幅方向の位置が変えられた状態で積載されるよう前記移動手段を制御して複数のシートのソートを行う制御手段と、
前記幅方向におけるシートの長さを取得する取得手段と、
を有し、
前記制御手段は、前記取得手段により取得されたシートの前記幅方向の長さが所定の長さ以上である場合は、前記検知手段により検知された端部位置とシートのソートのためのオフセット量とに基づいて前記移動手段を制御し、前記取得手段により取得されたシートの前記幅方向の長さが前記所定の長さ未満である場合は、前記幅方向のシートの端部位置とは関係なく、前記移動手段によりシートを所定量移動させるよう制御することを特徴とするシート処理装置。
【請求項２】
前記制御手段は、前記所定量を、シートの前記幅方向の長さが所定の長さ以上である場合の前記オフセット量以上の値とすることを特徴とする請求項１に記載のシート処理装置。
【請求項３】
前記制御手段は、前記取得手段により取得されたシートの前記幅方向の長さが前記所定の長さ未満である場合は、前記検知手段によりシートの端部位置検知を行わせないことを特徴とする請求項１又は２に記載のシート処理装置。
【請求項４】
前記検知手段は、前記幅方向のシートの長さが所定範囲内の長さのシートの端部位置を検知でき、前記所定の長さは前記所定範囲の下限の値であることを特徴とする請求項１乃至３の何れか１項に記載のシート処理装置。
【請求項５】
前記検知手段はシートの有無を検知するセンサと、前記センサを前記幅方向に移動させるセンサ移動手段とを有し、
前記制御手段は、前記取得手段により取得されたシートの長さと前記オフセット量に基づく待機位置に前記センサ移動手段により前記センサを移動させ、前記センサがシートを検知しなくなるまで前記移動手段によりシートを移動させることを特徴とする請求項１乃至４の何れか１項に記載のシート処理装置。
【請求項６】
請求項１乃至５の何れか１項に記載のシート処理装置と、前記シート処理装置へ画像形成されたシートを排出する画像形成装置とを有することを特徴する画像形成システム。
【手続補正２】
【補正対象書類名】明細書
【補正対象項目名】発明の名称
【補正方法】変更
【補正の内容】
【発明の名称】シート処理装置及び画像形成システム
【手続補正３】
【補正対象書類名】明細書
【補正対象項目名】０００１
【補正方法】変更
【補正の内容】
【０００１】
本発明は、シート処理装置及び画像形成システムに関し、特にシート処理の際のシート整合に関する制御に関する。
【手続補正４】
【補正対象書類名】明細書
【補正対象項目名】０００７
【補正方法】変更
【補正の内容】
【０００７】
前記課題を解決するために、（１）本発明のシート処理装置は、シートの搬送方向に直交する方向である幅方向のシートの端部検知を行う検知手段と、前記幅方向に移動することによりシートを該幅方向に移動させる移動手段と、シートが排出される排出トレイと、前記検知手段によりシートの端部検知を行った結果に基づいて前記移動手段を移動させるとともに、前記排出トレイ上で複数のシートが前記幅方向の位置が変えられた状態で積載されるよう前記移動手段を制御して複数のシートのソートを行う制御手段と、前記幅方向におけるシートの長さを取得する取得手段と、を有し、前記制御手段は、前記取得手段により取得されたシートの前記幅方向の長さが所定の長さ以上である場合は、前記検知手段により検知された端部位置とシートのソートのためのオフセット量とに基づいて前記移動手段を制御し、前記取得手段により取得されたシートの前記幅方向の長さが前記所定の長さ未満である場合は、前記幅方向のシートの端部位置とは関係なく、前記移動手段によりシートを所定量移動させるよう制御することを特徴とする。
【手続補正５】
【補正対象書類名】明細書
【補正対象項目名】０００８
【補正方法】変更
【補正の内容】
【０００８】
また、（２）本発明の画像形成システムは、前記（１）に記載のシート処理装置と、前記シート処理装置へ画像形成されたシートを排出する画像形成装置とを有することを特徴する。
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、
前記第一搬送ローラと前記第二搬送ローラ間にはバッファ機構が設けられ、
前記バッファ機構は、たわんだ前記ロール紙の収容と切断した前記ロール紙の引き出しとを行う空間部と、前記ロール紙がたわんだ時に生じるループの大きさを規制するガイド部とが設けられていることを特徴とするロール紙搬送装置。
【請求項２】
前記ガイド部には、ロール紙の各幅に対して、幅の異なるロール紙であっても一定の大きさのループを形成する調整手段が設けられていることを特徴とする請求項１記載のロール紙搬送装置。
【請求項３】
前記ロール紙は、前記繰り出しローラ対、前記切断手段、前記第一搬送ローラ対、バッファ機構、前記第二搬送ローラ対の順に搬送されるとともに、前記繰り出しローラ対、前記切断手段、前記第一搬送ローラ対、バッファ機構の搬送経路が上方に向かうように形成されていることを特徴とする請求項1または２記載のロール紙搬送装置。
【請求項４】
前記空間部は、前記ロール紙収容部側に形成され、前記ロール紙を切断した前記ロール紙を引き出す場合、前記第一搬送ローラ対により、前記ロール紙をロール紙の収容作業側に繰り出すことを特徴とする請求項１乃至３記載のいずれか記載のロール紙搬送装置。
【請求項５】
ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、
前記第一搬送ローラと前記第二搬送ローラ間にはバッファ機構が設けられ、
前記バッファ機構は、たわんだ前記ロール紙の収容と切断した前記ロール紙の引き出しとを行う空間部と、前記ロール紙がたわんだ時に生じるループの大きさを規制するガイド部とが設けられ、
前記ガイド部には、ロール紙の各幅に対して、幅の異なるロール紙であっても一定の大きさのループを形成する調整手段が設けられ、
前記ロール紙は、前記繰り出しローラ対、前記切断手段、前記第一搬送ローラ対、バッファ機構、前記第二搬送ローラ対の順に搬送されるとともに、前記繰り出しローラ対、前記切断手段、前記第一搬送ローラ対、バッファ機構の搬送経路が上方に向かうように形成され、
前記空間部は、前記ロール紙収容部側に形成され、前記ロール紙を切断した前記ロール紙を引き出す場合、前記第一搬送ローラ対により、前記ロール紙をロール紙の収容作業側に繰り出すことを特徴とするロール紙搬送装置。
【手続補正２】
【補正対象書類名】明細書
【補正対象項目名】００１２
【補正方法】変更
【補正の内容】
【００１２】
上記問題を解決するために、ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、第一搬送ローラと第二搬送ローラ間にはバッファ機構が設けられ、バッファ機構は、たわんだロール紙の収容と切断したロール紙の引き出しとを行う空間部と、ロール紙がたわんだ時に生じるループの大きさを規制するガイド部とが設けられていることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１９
【補正方法】変更
【補正の内容】
【００１９】
また、バッファ機構に、ロール紙がたわんだ時に生じるループの大きさを規制するガイド部を設けることにより、ロール紙の各幅に対し所定の大きさのループを形成することができる。
【手続補正５】
【補正対象書類名】明細書
【補正対象項目名】００２０
【補正方法】変更
【補正の内容】
【００２０】
さらに、請求項２において、ガイド部に調整手段を設けることにより、請求項２を具体化するとともに、異なる種類のロール紙であっても一定の大きさのループを形成することができる。
【手続補正６】
【補正対象書類名】明細書
【補正対象項目名】００２１
【補正方法】変更
【補正の内容】
【００２１】
請求項３において、ロール紙は、繰り出しローラ対、切断手段、第一搬送ローラ対、バッファ機構、第二搬送ローラ対の順に搬送されるとともに、繰り出しローラ対、切断手段、第一搬送ローラ対、バッファ機構の搬送経路が上方に向かうように形成することにより、カットしたロール紙を容易に取り出すことができる。
【手続補正７】
【補正対象書類名】明細書
【補正対象項目名】００２２
【補正方法】変更
【補正の内容】
【００２２】
請求項４において、空間部をロール紙収容部側に形成し、ロール紙を切断したロール紙を引き出す場合、第一搬送ローラ対により、ロール紙をロール紙の収容作業側に繰り出すことにより、カットしたロール紙を容易に取り出すことができる。
【手続補正８】
【補正対象書類名】明細書
【補正対象項目名】００２３
【補正方法】変更
【補正の内容】
【００２３】
請求項５において、ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、第一搬送ローラと第二搬送ローラ間にはバッファ機構が設けられ、バッファ機構は、たわんだロール紙の収容と切断したロール紙の引き出しとを行う空間部と、ロール紙がたわんだ時に生じるループの大きさを規制するガイド部とが設けられ、ガイド部には、ロール紙の各幅に対して、幅の異なるロール紙であっても一定の大きさのループを形成する調整手段が設けられ、ロール紙は、繰り出しローラ対、切断手段、第一搬送ローラ対、バッファ機構、第二搬送ローラ対の順に搬送されるとともに、繰り出しローラ対、切断手段、第一搬送ローラ対、バッファ機構の搬送経路が上方に向かうように形成され、空間部は、ロール紙収容部側に形成され、ロール紙を切断したロール紙を引き出す場合、第一搬送ローラ対により、ロール紙をロール紙の収容作業側に繰り出すことにより、請求項１から５の効果を有する。
【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
シート束の折るべき折り位置を突き、シート束を折るための突き手段と、
前記突き手段を移動させる駆動手段と、
前記突き手段により折られたシート束を搬送するローラ対を有する第１の搬送手段と、
前記第１の搬送手段よりも下流に設けられ、シート束を搬送する第２の搬送手段と、
前記駆動手段により移動される前記突き手段の移動量を検知する第１の検知手段と、
前記第１の搬送手段によるシート束の搬送量を検知する第２の検知手段と、
前記第１の搬送手段のローラ対を離間させる離間手段と、
前記第１の検知手段によって、前記突き手段の移動量が前記ローラ対に到達する第１の量になったことが検知され、且つ前記第２の検知手段によって、前記第１の搬送手段によるシート束の搬送量が前記第２の搬送手段に到達する第２の量になったことを検知したことに応じて前記離間手段を動作させて前記ローラを離間させる制御手段と、
を有することを特徴とするシート処理装置。
【請求項２】
前記第２の搬送手段よりも下流に設けられ、所定の停止位置に停止したシート束の折り目を押圧する押圧手段を有することを特徴とする請求項１記載のシート処理装置。
【請求項３】
前記制御手段は、シート束が前記所定位置に停止するよりも前に前記ローラを離間させることを特徴とする請求項２記載のシート処理装置。
【請求項４】
前記所定の停止位置と前記第１の搬送手段との距離は、前記シート処理装置が折り可能な最大シート長の半分の長さよりも長くないことを特徴とする請求項２記載のシート処理装置。
【請求項５】
前記突き手段は板状の部材であり、前記突き手段の先端が前記第１の搬送手段のローラ対のニップ部に進入するように前記駆動手段により移動されることを特徴とする請求項１乃至４の何れか１項に記載のシート処理装置。
【請求項６】
前記第１の検知手段は、前記駆動手段の駆動に同期したパルスをカウントすることにより前記突き手段の移動量を検知し、前記第２の検知手段は、前記第１の搬送手段の駆動に同期したパルスをカウントすることによりシート束の搬送量を検知することを特徴とする請求項１乃至５の何れか１項に記載のシート処理装置。
【請求項７】
請求項１乃至６の何れか１項に記載のシート処理装置と、シートに画像形成し、該シートを前記シート処理装置へ搬送する画像形成装置とを有することを特徴とする画像形成システム。
【手続補正２】
【補正対象書類名】明細書
【補正対象項目名】００１２
【補正方法】変更
【補正の内容】
【００１２】
上記課題を解決するために、本発明のシート処理装置は、シート束の折るべき折り位置を突き、シート束を折るための突き手段と、前記突き手段を移動させる駆動手段と、前記突き手段により折られたシート束を搬送するローラ対を有する第１の搬送手段と、前記第１の搬送手段よりも下流に設けられ、シート束を搬送する第２の搬送手段と、前記駆動手段により移動される前記突き手段の移動量を検知する第１の検知手段と、前記第１の搬送手段によるシート束の搬送量を検知する第２の検知手段と、前記第１の搬送手段のローラ対を離間させる離間手段と、前記第１の検知手段によって、前記突き手段の移動量が前記ローラ対に到達する第１の量になったことが検知され、且つ前記第２の検知手段によって、前記第１の搬送手段によるシート束の搬送量が前記第２の搬送手段に到達する第２の量になったことを検知したことに応じて前記離間手段を動作させて前記ローラを離間させる制御手段と、を有することを特徴とする。
【手続補正書】
【提出日】平成25年5月7日(2013.5.7)
【手続補正１】
【補正対象書類名】明細書
【補正対象項目名】０００８
【補正方法】変更
【補正の内容】
【０００８】
本発明は、シート束を二つ折りするシート処理装置において、搬送されてくるシートを順次積載するシート積載手段と、シート束を二つ折りしながら搬送する折りローラ対と、前記シート積載手段に積載されたシート束を前記折りローラ対のニップ部に押し込む突き部材と、前記折りローラ対を駆動する駆動部と、前記駆動部からの駆動を前記折りローラ対に伝達する駆動伝達部と、を備え、前記駆動伝達部を前記折りローラ対のシート束搬送方向と直交する幅方向の一方の側端側に設け、前記シート積載手段に積載されたシート束の駆動伝達部側とは反対側の幅方向側端部から先に前記折りローラ対のニップ部に押し込まれるように、前記突き部材の押し込み端を、前記駆動伝達部側とは反対側が、前記駆動伝達部側よりも押し込み方向下流側に位置するように傾斜させることを特徴とするものである。
【手続補正２】
【補正対象書類名】特許請求の範囲
【補正対象項目名】全文
【補正方法】変更
【補正の内容】
【特許請求の範囲】
【請求項１】
シート束を二つ折りするシート処理装置において、
搬送されてくるシートを順次積載するシート積載手段と、
シート束を二つ折りしながら搬送する折りローラ対と、
前記シート積載手段に積載されたシート束を前記折りローラ対のニップ部に押し込む突き部材と、
前記折りローラ対を駆動する駆動部と、
前記駆動部からの駆動を前記折りローラ対に伝達する駆動伝達部と、を備え、
前記駆動伝達部を前記折りローラ対のシート束搬送方向と直交する幅方向の一方の側端側に設け、
前記シート積載手段に積載されたシート束の駆動伝達部側とは反対側の幅方向側端部から先に前記折りローラ対のニップ部に押し込まれるように、前記突き部材の押し込み端を、前記駆動伝達部側とは反対側が、前記駆動伝達部側よりも押し込み方向下流側に位置するように傾斜させることを特徴とするシート処理装置。
【請求項２】
前記突き部材は、前記折りローラ対のニップ部を越える位置までシート束を押し込むことを特徴とする請求項１記載のシート処理装置。
【請求項３】
前記駆動伝達部は、前記折りローラ対を構成する各折りローラに対して駆動を入力することを特徴とする請求項１又は２記載のシート処理装置。
【請求項４】
シートに画像を形成する画像形成部と、前記画像形成部により画像が形成されたシートを処理する請求項１ないし３のいずれか１項に記載のシート処理装置と、を備えたことを特徴とする画像形成装置。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
シート束が積載されるシート積載手段と、
前記シート積載手段に積載されたシート束に対して綴じ処理を行う綴じ手段と、
前記綴じ手段により綴じ処理されたシート束を折る折り手段と、
前記折り手段により折られたシート束を搬送する搬送手段と、
前記搬送手段により搬送されたシート束の折り目部に対して、前記シート束の表紙面に垂直な方向から圧力を加えて折り状態を強化するプレス手段と、
前記搬送手段により搬送されたシート束を固定するように前記シート束を把持する把持状態と前記シート束を把持しない解放状態とに変位する把持手段と、
前記把持手段を前記把持状態に変位させ、前記プレス手段に前記シート束をプレスさせる制御手段と、
を有することを特徴とするシート処理装置。
【請求項２】
前記制御手段は、前記シート束のシートの枚数が所定枚数未満では前記把持手段による把持を行わせずに前記プレス手段に前記シート束をプレスさせ、前記シート束のシートの枚数が前記所定枚数以上では前記把持手段による把持を行わせながら前記プレス手段に前記シート束をプレスさせることを特徴とする請求項１記載のシート処理装置。
【請求項３】
前記シート束の表紙面に平行な方向から前記シート束の折り目部を押圧することにより前記折り目部を平坦化する平坦化手段を有し、
前記制御手段は、前記平坦化手段により前記折り目部を平坦化する場合は、前記シート束のシートの枚数に拘わらず前記把持手段により前記シート束を把持させることを特徴とする請求項２記載のシート処理装置。
【請求項４】
前記プレス手段は、前記シート束の折り目部に沿って圧力を加えながら移動するローラを有することを特徴とする請求項１乃至３の何れか１項に記載のシート処理装置。
【請求項５】
前記制御手段は、前記シート束のシートの枚数が多くなるほど前記ローラの移動速度を遅くすることを特徴とする請求項４記載のシート処理装置。
【請求項６】
前記把持手段は、シート束の両方の面からシート束を挟みこむクランプ部材を有することを特徴とする請求項１乃至５の何れか１項に記載のシート処理装置。
【請求項７】
請求項１乃至６の何れか１項に記載のシート処理装置と、前記シート処理装置へ画像形成されたシートを排出する画像形成装置とを有することを特徴とする画像形成システム。
【手続補正２】
【補正対象書類名】明細書
【補正対象項目名】０００６
【補正方法】変更
【補正の内容】
【０００６】
上記課題を解決するために、本発明のシート処理装置は、シート束が積載されるシート積載手段と、前記シート積載手段に積載されたシート束に対して綴じ処理を行う綴じ手段と、前記綴じ手段により綴じ処理されたシート束を折る折り手段と、前記折り手段により折られたシート束を搬送する搬送手段と、前記搬送手段により搬送されたシート束の折り目部に対して、前記シート束の表紙面に垂直な方向から圧力を加えて折り状態を強化するプレス手段と、前記搬送手段により搬送されたシート束を固定するように前記シート束を把持する把持状態と前記シート束を把持しない解放状態とに変位する把持手段と、前記把持手段を前記把持状態に変位させ、前記プレス手段に前記シート束をプレスさせる制御手段と、を有することを特徴とする。
【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
折り畳まれた折りシート束の折り端部を処理する端部処理部を有するシート処理装置において、
折りシート束を搬送する搬送部と、
前記搬送部により搬送された折りシート束を案内するシート案内位置と、前記端部処理部によるシート処理位置に折りシート束を保持するシート保持位置との間を移動可能なガイド部材と、を備え、
折りシート束を前記シート処理位置に保持する前記ガイド部材の保持面は、前記シート案内位置において折りシート束を案内する位置に規制され、前記シート保持位置において傾動可能である、
ことを特徴とするシート処理装置。
【請求項２】
前記ガイド部材を前記シート案内位置から前記シート保持位置に移動させる移動機構を更に備え、
前記移動機構は、駆動源を有する移動機構本体と、前記移動機構本体に傾動自在に支持されると共に、前記ガイド部材を支持する移動部材と、を有し、
前記ガイド部材は、前記シート保持位置において、前記移動部材が傾動することにより、前記保持面が折りシート束の表面にならうように傾動して折りシート束の表面を押圧する、
ことを特徴とする請求項１に記載のシート処理装置。
【請求項３】
前記シート案内位置で前記ガイド部材を規制する固定部材を更に備え、
前記固定部材は、弾性変形可能に形成される、
ことを特徴とする請求項１又は２に記載のシート処理装置。
【請求項４】
前記端部処理部は、折り端部における搬送方向先端の折り頂部を圧接する第１圧接部と、前記折り端部における折りシート束の両表面を挟持する第２圧接部と、を備える、
ことを特徴とする請求項１乃至３のいずれか１項に記載のシート処理装置。
【請求項５】
シートに画像を形成する画像形成部と、
画像が形成された複数枚のシートからなる折りシート束に対して所定の処理を施す請求項１乃至４のいずれか１項に記載のシート処理装置と、を備えた、
ことを特徴とする画像形成装置。
【手続補正２】
【補正対象書類名】明細書
【補正対象項目名】００１２
【補正方法】変更
【補正の内容】
【００１２】
本発明は、折り畳まれた折りシート束の折り端部を処理する端部処理部を有するシート処理装置において、折りシート束を搬送する搬送部と、前記搬送部により搬送された折りシート束を案内するシート案内位置と、前記端部処理部によるシート処理位置に折りシート束を保持するシート保持位置との間を移動可能なガイド部材と、を備え、折りシート束を前記シート処理位置に保持する前記ガイド部材の保持面は、前記シート案内位置において折りシート束を案内する位置に規制され、前記シート保持位置において傾動可能であることを特徴とする。
【手続補正３】
【補正対象書類名】明細書
【補正対象項目名】００１５
【補正方法】変更
【補正の内容】
【００１５】
以下、本発明の実施形態に係るシート処理装置及び画像形成装置について、図面を参照しながら説明する。本発明の実施形態に係る画像形成装置は、複写装置、プリンタ、ファクシミリ及びこれら複合機器等、その内部にシートを折り畳んで冊子状のシート束（折りシート束）を形成するシート処理装置としてのフィニッシャ５００を備える画像形成装置である。以下の実施形態においては、画像形成装置として複写装置１０００を用いて説明する。
【手続補正４】
【補正対象書類名】明細書
【補正対象項目名】００３２
【補正方法】変更
【補正の内容】
【００３２】
下排出パス５２２からサドル排出パス５２３に排出されるシートは、サドル排出パス５２３を介して中綴じ製本部８００に搬送される。中綴じ製本部８００は、複数枚のシートからなるシート束に対して、選択的に綴じ処理を行い、その後、折り処理を行い、折りシート束をつくる。
【手続補正５】
【補正対象書類名】明細書
【補正対象項目名】００３５
【補正方法】変更
【補正の内容】
【００３５】
収納ガイド８０３の途中位置には、収納ガイド８０３を挟んでステイプラ８２０が対向配置されている。ステイプラ８２０は、針を突き出すドライバー８２０ａと、突き出された針を折り曲げるアンビル８２０ｂと、を備える。なお、シート位置決め部材８０５は、シート搬入時において、シート搬送方向の中央部が、ステイプラ８２０の綴じ位置になるようにシート（シート束）を停止させる。シート位置決め部材８０５は、モータＭ２の駆動を受けて移動可能に配設されており、シートのサイズ等に応じて位置を変える。
【手続補正６】
【補正対象書類名】明細書
【補正対象項目名】００３７
【補正方法】変更
【補正の内容】
【００３７】
シート束は、突き出し部材８３０によって折りローラ対８１０ａ，８１０ｂのニップに押し込まれることにより折り畳まれ、搬送方向先端に折り頂部（以下、「折り目」ともいう）が形成された折りシート束（以下、「冊子Ｔ」ともいう）となる。つまり、シート束は、折りローラ対８１０ａ，８１０ｂにより折り処理が行われる。その後、突き出し部材８３０は、再びホームポジションに戻る。なお、折りローラ対８１０ａと折りローラ対８１０ｂとは、シート束を折り曲げるに充分な圧力を生じさせるように配設されている。この圧力は、本実施形態においては、不図示のバネにより生じるように構成されている。
【手続補正７】
【補正対象書類名】明細書
【補正対象項目名】００３９
【補正方法】変更
【補正の内容】
【００３９】
整合板対８１５は、収納ガイド８０３に収納されたシートを整合し、折りローラ対８１０ａ，８１０ｂの外周面を挟んで収納ガイド８０３に突出した面を持つ。整合板対８１５は、モータＭ５の駆動を受けて、シートに対し挟み込み方向に移動することで、シートの幅方向の位置決めを行う。
【手続補正書】
【提出日】平成25年5月9日(2013.5.9)
【手続補正１】
【補正対象書類名】明細書
【補正対象項目名】００１１
【補正方法】変更
【補正の内容】
【００１１】
本発明は、連続して形成された平坦ガイド部及び湾曲ガイド部を有するガイド部材を備えたシート搬送装置において、前記ガイド部材は、シート搬送方向に沿って延在する突出リブが、前記湾曲ガイド部の外側ガイド面から突出し、搬送されるシートに接触するよう前記平坦ガイド部に連続して形成され、前記突出リブは、前記湾曲ガイド部でのシートへの接触面積が、前記平坦ガイド部でのシートへの接触面積よりも大きくなるように構成されていることを特徴とする。
【手続補正２】
【補正対象書類名】特許請求の範囲
【補正対象項目名】全文
【補正方法】変更
【補正の内容】
【特許請求の範囲】
【請求項１】
連続して形成された平坦ガイド部及び湾曲ガイド部を有するガイド部材を備えたシート搬送装置において、
前記ガイド部材は、シート搬送方向に沿って延在する突出リブが、前記湾曲ガイド部の外側ガイド面から突出し、搬送されるシートに接触するよう前記平坦ガイド部に連続して形成され、
前記突出リブは、前記湾曲ガイド部でのシートへの接触面積が、前記平坦ガイド部でのシートへの接触面積よりも大きくなるように構成されている、ことを特徴とするシート搬送装置。
【請求項２】
前記湾曲ガイド部における前記突出リブは、前記外側ガイド面からのリブ頂部の突出量が前記平坦ガイド部のガイド面からのリブ頂部の突出量よりも小さい、ことを特徴とする請求項１記載のシート搬送装置。
【請求項３】
前記リブ頂部の突出量が小さい部位は、シート搬送方向上流から下流に向けて所定距離をあけて複数設けられている、ことを特徴とする請求項２記載のシート搬送装置。
【請求項４】
前記ガイド部材のシート搬送方向の上流側と下流側とに、シートを搬送する搬送部をそれぞれ備え、
前記上流側の搬送部の搬送速度よりも前記下流側の搬送部の搬送速度が大きくなるように構成されている、ことを特徴とする請求項１乃至３のいずれか１項記載のシート搬送装置。
【請求項５】
前記突出リブは、シート搬送方向と直交する幅方向の中心からシート搬送方向下流に行くに従って外側に広がるように配置されている、ことを特徴とする請求項１乃至４のいずれか１項記載のシート搬送装置。
【請求項６】
前記突出リブは、前記ガイド部材に一体成型されている、ことを特徴とする請求項１乃至５のいずれか１項記載のシート搬送装置。
【請求項７】
前記突出リブ及び前記ガイド部材は、板金で構成されている、ことを特徴とする請求項６記載のシート搬送装置。
【請求項８】
シートに画像を形成するための画像形成部と、
画像形成されたシートを搬送する請求項１乃至７のいずれか１項記載のシート搬送装置と、を備え、
前記ガイド部材は、前記画像形成部においてシートに形成されたトナー像を定着する定着部よりもシート搬送方向下流に配置されている、ことを特徴とする画像形成装置。
【手続補正書】
【提出日】平成25年5月9日(2013.5.9)
【手続補正１】
【補正対象書類名】明細書
【補正対象項目名】００１６
【補正方法】変更
【補正の内容】
【００１６】
本発明は、シートを順次積載するシート積載部と、前記シート積載部に積載されたシート束に綴じ処理を行う綴じ処理部と、前記綴じ処理部により綴じ処理されたシート束の綴じ処理位置に対し折曲げ処理を施す折曲げ処理部と、前記折曲げ処理部により折り曲げられたシート束を案内するガイド対と、を備え、前記ガイド対は、折りシート束の折り端部を受け止め、折りシート束を湾曲させながら折りシート束の一方の面を摺接させて案内する第１のガイドと、前記第１のガイドに対向して折りシート束の他方の面側に設けられた第２のガイドと、により構成され、前記第２のガイドの表面抵抗が、前記第１のガイドの表面抵抗よりも低く設定されていることを特徴とする。
【手続補正２】
【補正対象書類名】明細書
【補正対象項目名】００１７
【補正方法】変更
【補正の内容】
【００１７】
本発明によると、綴じ位置で二つ折りされた折りシート束を案内するガイド対のうち第１のガイドにより湾曲させながら折りシート束の一方の面を摺接させて案内するようにガイド対を配置し、折りシート束のたるむ側の第２のガイドの表面抵抗を低く設定している。即ち、第２のガイドの表面抵抗が、折り曲げられた折りシート束の折り端部を受け止め案内する第１のガイドの表面抵抗より低いので、第２のガイドとの接触による折りシート束のシワや、搬送ローラ対のニップに進入する際の綴じ部での表紙破れ等を防止できる。これにより、最終成果物としての折りシート束の品位を向上させることができる。
【手続補正３】
【補正対象書類名】明細書
【補正対象項目名】００２８
【補正方法】変更
【補正の内容】
【００２８】
（フィニッシャ５００）
画像形成部により画像が形成されたシートＰの束を折曲げて製本するシート処理装置としてのフィニッシャ５００は、プリンタ部３００から折り処理部４００を介して搬送されてきた複数枚のシートＰを整合して、シート処理を行うようになっている。シート処理には、１つのシート束Ｐ（折りシート束）として束ねる処理、シート束Ｐの後端側をステイプルするステイプル処理（綴じ処理）、ソート処理、ノンソート処理等がある。また、フィニッシャ５００は、シート積載装置としての中綴じ製本部８００を一体的に備える。
【手続補正４】
【補正対象書類名】明細書
【補正対象項目名】００８３
【補正方法】変更
【補正の内容】
【００８３】
１１１，１１３…画像形成部（感光ドラム，現像器）、５００…シート処理装置（フィニッシャ）、８０３…シート積載部（収納ガイド）、８１０…折曲げ処理部（折りローラ対）、８１３，８１４…ガイド対（第１搬送ガイド部，第２搬送ガイド部）、８１３ａ，８１４ａ…第１のガイド（第１上搬送ガイド，第２上搬送ガイド）、８１３ｂ，８１４ｂ…第２のガイド（第１下搬送ガイド，第２下搬送ガイド）、８２０…綴じ処理部（ステイプラ）、８６０…仕上げ処理部（折り目プレスユニット）、８７０…駆動部（クランパ）、１０００…画像形成装置（複写機）、Ｐ…シート，折りシート束（シート束）
【手続補正５】
【補正対象書類名】特許請求の範囲
【補正対象項目名】全文
【補正方法】変更
【補正の内容】
【特許請求の範囲】
【請求項１】
シートを順次積載するシート積載部と、
前記シート積載部に積載されたシート束に綴じ処理を行う綴じ処理部と、
前記綴じ処理部により綴じ処理されたシート束の綴じ処理位置に対し折曲げ処理を施す折曲げ処理部と、
前記折曲げ処理部により折り曲げられたシート束を案内するガイド対と、を備え、
前記ガイド対は、折りシート束の折り端部を受け止め、折りシート束を湾曲させながら折りシート束の一方の面を摺接させて案内する第１のガイドと、前記第１のガイドに対向して折りシート束の他方の面側に設けられた第２のガイドと、により構成され、
前記第２のガイドの表面抵抗が、前記第１のガイドの表面抵抗よりも低く設定されている、ことを特徴とするシート処理装置。
【請求項２】
前記ガイド対により搬送される折りシート束の折り端部に対して仕上げ処理する仕上げ処理部と、
前記第１のガイド及び前記第２のガイドを互いに接近するように相対移動させる駆動部と、を備え、
前記駆動部は、前記仕上げ処理部により前記仕上げ処理が施される際に、前記第１のガイド及び前記第２のガイドを相対移動させて折りシート束を挟持して保持する、ことを特徴とする請求項１記載のシート処理装置。
【請求項３】
シートに画像を形成する画像形成部と、
前記画像形成部により画像が形成されたシートの束を折曲げて製本する請求項１又は２記載のシート処理装置と、を備えることを特徴とする画像形成装置。
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
排水口と排水管との間に接続される排水トラップであって、
前記排水口から排水される排水を一時的に貯めるトラップ本体と、
前記排水口に着脱可能に取り付けられる防臭筒と、を備え、
前記トラップ本体は、排水口から下方奥側へ傾斜しており、
前記防臭筒は排水口に対して垂直な接続部と、
前記接続部に対して傾斜し、トラップ本体と並行な屈曲部を有し、
前記排水口の下端と前記屈曲部との間に、空間を有することを特徴とする排水トラップ
【請求項２】
前記排水口に接続されるフランジ部材を備え、
前記フランジ部材は前記防臭筒を着脱するために、略中央に略円形形状に開口を持ち、
前記防臭筒は前記フランジ部材を介して前記排水口に着脱可能に取り付けられることを特徴とする請求項１に記載の排水トラップ
【請求項３】
前記フランジ部材の外形は略円形形状であることを特徴とする請求項２に記載の排水トラップ
【請求項４】
前記トラップ本体はクイックファスナーにて接続されることを特徴とする請求項２乃至３の何れか１項に記載の排水トラップ
【請求項５】
前記防臭筒は前記フランジ部材との着脱部を端部とした略円筒形状であり、着脱部より下方に屈曲部を持つことを特徴とする請求項２乃至４の何れか１項に記載の排水トラップ
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
排水口を有する槽体と、排水管とを接続する排水接続器具であって、
前記排水接続器具は内部が排水を通す筒状部と、
前記筒状部の上端から外方へ延出したフランジ部と、を備え、
前記フランジ部は少なくともその外周縁全周に可撓部を備え、
前記可撓部は、可撓性を有する程度に薄く、
前記可撓部は、前記槽体に取り付けられた状態で、前記槽体の内面と接触し変形することを特徴とする排水接続器具。
【請求項２】
前記フランジ部は前記槽体の前記排水口に向かって傾斜する傾斜面と当接し、
前記フランジ部の外径は前記傾斜面の最大内径より小さく、最小内径より大きいことを特徴とする請求項１に記載の排水接続器具。
【請求項３】
前記排水接続器具は、前記可撓部の変形量を規制する規制手段を有することを特徴とする請求項１または２に記載の排水接続器具。
【請求項４】
前記変形量の規制手段として、
前記排水接続器具の下方向への移動を規制する移動量規制手段を有する請求項３記載の排水接続器具。
【請求項５】
前記移動量規制手段として、前記フランジ部より下方に当接部を有し、
前記当接部は硬質部材からなり、
前記当接部の外径が前記フランジ部の外径より小さいことを特徴とする請求項４に記載の排水接続器具。
【請求項６】
前記可撓部が弾性を有することを特徴とする請求項１〜３のいずれか一項に記載の排水接続器具。
【請求項７】
前記フランジ部は、その下方に位置する埋設部材と一体的に成型され、
少なくとも前記埋設部材の一部が前記筒状部に埋設され
前記埋設部材の下端に、鉛直でない方向に折り曲げられた折曲げ部を有することを特徴とする請求項１〜５のいずれか一項に記載の排水接続器具。
【手続補正書】
【提出日】平成25年4月16日(2013.4.16)
【手続補正１】
【補正対象書類名】特許請求の範囲
【補正対象項目名】請求項３
【補正方法】変更
【補正の内容】
【請求項３】
前記人体局部温水洗浄便座は、温水を貯水する貯水タンクを有し、前記液体供給手段は、前記貯水タンクの上流側に連結し、定期的に貯水タンク内に殺菌水を供給することを特徴とする請求項１又は２に記載の液体供給装置。
【手続補正２】
【補正対象書類名】明細書
【補正対象項目名】０００８
【補正方法】変更
【補正の内容】
【０００８】
また、請求項３の発明は、前記人体局部温水洗浄便座は、温水を貯水する貯水タンクを有し、前記液体供給手段は、前記貯水タンクの上流側に連結し、定期的に貯水タンク内に殺菌水を供給することを特徴とする。
本発明によれば、貯水タンク内に殺菌水を定期的に供給することで、貯水タンク内に混入した細菌を殺菌でき、温水洗浄便座の衛生性を確保できる。
【手続補正３】
【補正対象書類名】図面
【補正対象項目名】図３
【補正方法】変更
【補正の内容】
【図３】
2011241557.tif 000001
【手続補正４】
【補正対象書類名】図面
【補正対象項目名】図４
【補正方法】変更
【補正の内容】
【図４】
2011241557.tif 000002